(57)【要約】      （修正有）【課題】ディスプレイが最大傾倒姿勢にある状態でのディスプレイのがたつきを軽減することができるディスプレイ装置を提供する。【解決手段】ディスプレイ装置１０は、側面の上端部にスライダ１４を有するディスプレイ１２と、ディスプレイ１２を傾倒させるようにディスプレイ１２のスライダ１４を案内する案内溝１５が形成された壁面を有するエスカッション１３とを備えている。案内溝１５は、前方に向かう下端部を有している。【選択図】図１
2013007941.tif 000002
【特許請求の範囲】
【請求項１】
側面の上端部にスライダを有するディスプレイと、
前記ディスプレイを傾倒させるように前記ディスプレイの前記スライダを案内する案内溝が形成された壁面を有するエスカッションとを備え、
前記案内溝は、前方に向かう下端部を有する
ことを特徴とするディスプレイ装置。
【請求項２】
前記案内溝の前記下端部以外の部分は上下方向に延びる直線部であり、
前記スライダが前記直線部の最上端に位置する状態で、前記ディスプレイが正立する
ことを特徴とする請求項１に記載のディスプレイ装置。
【請求項３】
前記案内溝の下端部は、前記直線部に対して前方かつ下方に向けて屈曲した屈曲部であることを特徴とする請求項２に記載のディスプレイ装置。
【請求項４】
前記案内溝の下端部は、前記直線部から前方に向けて湾曲した湾曲部であることを特徴とする請求項２に記載のディスプレイ装置。
【請求項５】
前記案内溝の下端部は、前記直線部から緩やかに屈曲してまっすぐ前方に向かう屈曲部であることを特徴とする請求項２に記載のディスプレイ装置。
【請求項６】
前記ディスプレイ装置は、ディスプレイ装置本体を備え、
前記エスカッションは、前記ディスプレイ装置本体の前面に設けられ、
前記エスカッション及び前記ディスプレイの下端部は、前記ディスプレイ装置本体の下面よりも低く、
前記ディスプレイ装置本体は、前後方向にスライド可能な可動アームを備え、
前記可動アームの先端は、前記ディスプレイの下端部よりも中央寄りであって、かつ前記スライダよりも下方の位置で、前記ディスプレイに回転可能に軸支される
ことを特徴とする請求項１ないし５のいずれか一項に記載のディスプレイ装置。
【請求項７】
前記スライダが前記案内溝の最下端に位置する最大傾倒姿勢において、前記ディスプレイ上の前記可動アームを軸支する点を中心として回転する力によって前記スライダに作用する力の方向と、前記案内溝の最下端において前記スライダが前記案内溝に沿って移動可能な方向との間の角度が９０度以上１２０度以下であることを特徴とする請求項６に記載のディスプレイ装置。
【請求項８】
前記ディスプレイ装置は、インダッシュ型の車載ナビゲーション装置であることを特徴とする請求項１ないし７のいずれか一項に記載のディスプレイ装置。
【発明の詳細な説明】
【技術分野】
【０００１】
本発明は、インダッシュ型の車載ナビゲーション装置等の、傾倒可能なディスプレイを備えたディスプレイ装置に関するものである。
【背景技術】
【０００２】
従来、車載ナビゲーション装置等のディスプレイ装置として、インストルメントパネル内のオーディオ機器用スペースに配置されるインダッシュ型のディスプレイ装置が知られている。２ＤＩＮサイズのディスプレイ装置の場合、ディスプレイ装置本体の前面に配置されているディスプレイは、ディスプレイ下部から前面にスライドする可動構造になっており、背面に隠れた挿入口（スロット）にＣＤやＤＶＤ等の各種メディアを挿脱することができる（例えば、特許文献１参照）。
【０００３】
図６は、従来のディスプレイ装置の構造を示す図である。車載ナビゲーション装置としてのディスプレイ装置１００は、ディスプレイ装置本体１０１とディスプレイ１０２とエスカッション１０３とを備えている。エスカッション１０３は、ディスプレイ装置本体１０１の前面に取り付けられる。ディスプレイ装置１００はインストルメントパネル内にネジ止めにより固定された後、開口部を有する枠部材（クラスターパネル）ＣＰが取付けられ、ディスプレイ１０２がクラスターパネルＣＰの開口部から露出される。
【０００４】
ディスプレイ１０２は、その側面の上端部にスライドピン１０４を有する。エスカッション１０３には、このスライドピン１０４を上下方向に案内する案内溝１０５が形成されている。また、ディスプレイ１０２は、その下部に可動アーム１０６の先端を軸支するためのピン１０７が設けられている。可動アーム１０６は、ディスプレイ装置本体１０１の下面に近い位置でエスカッション１０３を貫通して、その先端がピン１０７によってディスプレイ１０２に回動可能に軸支される。可動アーム１０６は、ディスプレイ装置本体１０１内に設けられた図示しないモータ及び駆動機構によって、手前及び奥行きの方向に出たり入ったりする。
【０００５】
ディスプレイ１０２の上部のスライドピン１０４が案内溝１０５に案内されて、可動アーム１０６の先端がピン１０７に軸支されている状態で、可動アーム１０６が前後方向に出たり入ったりすることで、ディスプレイ１０２は、ａの姿勢（以下、「正立姿勢」という）とｂの姿勢（以下、「最大傾倒姿勢」という。）との間で駆動される。
【０００６】
案内溝１０５は、ディスプレイ１０２が正立姿勢ａとなったときのスライドピン１０４の位置から、ディスプレイ１０２が最大傾倒姿勢ｂとなったときのスライドピン１０４の位置まで、直線状に形成されており、スライドピン１０４が案内溝１０５の下端で止まることで、ディスプレイ１０２が最大傾倒姿勢ｂで止まる構造となっている。ディスプレイ装置本体１０１の正面上半部分には、ディスク、メモリカード等のメディアＭ用のスロットが設けられている。
【０００７】
メディアＭの出し入れの際には、操作ボタン１０８が押される等の指示により、正立姿勢ａから可動アーム１０６が手前方向に繰り出し、それに伴い、スライドピン１０４が案内溝１０５に沿って下方にスライドし、最大傾倒姿勢ｂになるまでディスプレイ１０２が倒されて、メディアＭ用のスロットが露出する。メディアＭの出し入れが終わると、操作ボタン１０８が押される等の指示により、最大傾倒姿勢ｂから可動アーム１０６が奥に引き込まれ、それに伴って、スライドピン１０４が案内溝１０５に沿って上方にスライドし、正立姿勢ａになるまでディスプレイ１０２が立ち上がり、メディアＭ用のスロットが隠される。
【０００８】
ここで、図６に示すように、２ＤＩＮサイズのディスプレイ装置１００が、７インチのディスプレイ１０２を備えている場合には、ディスプレイ装置本体１０１の前面の大きさとディスプレイ１０２の大きさとはほぼ同じである。従って、ディスプレイ装置本体１０１の下面に近い位置に設けられた可動アーム１０６の先端は、ディスプレイ１０２の下端付近でピン１０７によって軸支される。
【先行技術文献】
【特許文献】
【０００９】
【特許文献１】特開２００１−１１４０２８号公報
【発明の概要】
【発明が解決しようとする課題】
【００１０】
上記のようなディスプレイ装置のディスプレイのサイズを、２ＤＩＮの規格サイズ（７インチ相当）を超えて大型化する場合には、ディスプレイ装置本体は２ＤＩＮサイズのままとしてディスプレイのサイズを大型化し、クラスターパネルＣＰの開口部を広げることで、ディスプレイ装置をインストルメントパネル内に装着することができる。
【００１１】
図７は、大型のディスプレイを備えたディスプレイ装置の構成を示す図である。図７において、図６に示す構成と対応する構成については同じ符号を用いている。ディスプレイ装置１００は、大型のディスプレイ１０２を備えている。図６の例と同様に、エスカッション１０３に案内溝１０５が形成されており、そこに、ディスプレイ１０２の上部に設けられたスライドピン１０４がスライド可能に挿入される。
【００１２】
可動アーム１０６は、図６の場合と同様に、ディスプレイ装置本体１０１の下面に近い位置で前後方向に駆動するように設けられるが、ディスプレイ１０２のサイズが大きいため、可動アーム１０６の先端は、ディスプレイ１０２の下端付近ではなく、下端よりも中央寄りの位置でピン１０７によって軸支される。この結果、ＣＤやＤＶＤ等の各種メディアを挿脱するためにディスプレイ１０２を傾倒させて最大傾倒姿勢ｂとした場合に、ディスプレイ１０２が振動したり、操作ボタン１０８が押下されたりすると、ピン１０７を支点として、てこの原理により、スライドピン１０４に大きな力（特に上向きの力）が加わり、ディスプレイ１０２にがたつきが生じるという課題があった。
【００１３】
なお、このようながたつきの問題は、上記のように、ディスプレイのサイズを大型化した場合に顕著になるが、図６に示すように、ディスプレイのサイズがディスプレイ装置本体の前面のサイズとほぼ同じであるような場合にも生じうる。
【００１４】
そこで、本発明は、傾倒可能なディスプレイを備えたディスプレイ装置において、ディスプレイが最大傾倒姿勢にある状態でのディスプレイのがたつきを軽減することができるディスプレイ装置を提供することを目的とする。
【課題を解決するための手段】
【００１５】
上記従来の課題を解決するために、本発明のディスプレイ装置は、側面の上端部にスライダを有するディスプレイと、前記ディスプレイを傾倒させるように、前記ディスプレイの前記スライダを案内する案内溝が形成された壁面を有するエスカッションとを備え、前記案内溝は、前方に向かう下端部を有するという構成を有している。
【００１６】
この構成により、案内溝が上端から下端までの直線形状である従来のディスプレイ装置と比較して、ディスプレイが傾倒して、スライダが案内溝の最下端にきたときに、ディスプレイのスライダにかかる力の方向とスライダが案内溝に沿ってスライド可能な方向との間の角度を大きくすることができるので、スライダが案内溝の最下端にある状態、即ちディスプレイが最大傾倒姿勢にある状態で、ディスプレイのがたつきを抑えることができる。また、最大傾倒姿勢にあるディスプレイのがたつきを抑えるために、特殊な部品を必要としない。
【００１７】
また、上記のディスプレイ装置において、前記案内溝の前記下端部以外の部分は上下方向に延びる直線部であってよく、前記スライダが前記直線部の最上端に位置する状態で、前記ディスプレイが正立してよい。
【００１８】
この構成によれば、正立姿勢と最大傾倒姿勢との間でディスプレイをスムーズに駆動できる。
【００１９】
また、上記のディスプレイ装置において、前記案内溝の下端部は、前記直線部に対して前方かつ下方に向けて屈曲した屈曲部であってよい。
【００２０】
また、上記のディスプレイ装置において、前記案内溝の下端部は、前記直線部から前方に向けて湾曲した湾曲部であってよい。
【００２１】
また、上記のディスプレイ装置において、前記案内溝の下端部は、前記直線部から緩やかに屈曲してまっすぐ前方に向かう屈曲部であってよい。
【００２２】
上記の何れの下端部の形状によっても、上記の効果を好適に得ることができる。
【００２３】
また、上記の前記ディスプレイ装置は、ディスプレイ装置本体を備えていてよく、前記エスカッションは、前記ディスプレイ装置本体の前面に設けられてよく、前記エスカッション及び前記ディスプレイの下端部は、前記ディスプレイ装置本体の下面よりも低くてよく、前記ディスプレイ装置本体は、前後方向にスライド可能な可動アームを備えていてよく、前記可動アームの先端は、前記ディスプレイの下端部よりも中央寄りであって、かつ前記スライダよりも下方の位置で、前記ディスプレイに回転可能に軸支されてよい。
【００２４】
この構成により、可動アームを繰り出すという操作のみで、ディスプレイのスライダが案内溝の最下端に達して、がたつきが抑えられた最大傾倒姿勢となることができる。最大傾倒姿勢において、がたつきを抑えるための機構を駆動する等の必要はない。
【００２５】
また、上記のディスプレイ装置において、前記スライダが前記案内溝の最下端に位置する最大傾倒姿勢において、前記ディスプレイ上の前記可動アームを軸支する点を中心として回転する力によって前記スライダに作用する力の方向と、前記案内溝の最下端において前記スライダが前記案内溝に沿って移動可能な方向との間の角度が９０度以上であってよい。
【００２６】
この構成により、前記可動アームを軸支する点を中心としてディスプレイを回転する力によるがたつきをなくすることができる。
【００２７】
また、上記のディスプレイ装置は、インダッシュ型の車載ナビゲーション装置であってよい。
【００２８】
これにより、最大傾倒姿勢において、ディスプレイへのボタン操作によって力が加わったり、車両の振動によってディスプレイが振動したりしても、がたつきを抑えることができる。
【発明の効果】
【００２９】
本発明は、ディスプレイを傾倒させるようにディスプレイのスライダを案内する案内溝の下端部が、前方に向かっているので、ディスプレイのスライダが案内溝の最下端にきた最大傾倒姿勢において、振動や操作ボタン押下によるディスプレイのがたつきを、特殊な部品を用いることなく抑制することができる。
【図面の簡単な説明】
【００３０】
【図１】本発明の実施の形態におけるディスプレイ装置の構成を示す断面図
【図２】本発明の実施の形態におけるディスプレイ装置の斜面図
【図３】（ａ）本発明の実施の形態におけるディスプレイ装置の作用を説明するための図  （ｂ）従来のディスプレイ装置の作用を説明するための図
【図４】本発明の実施の形態における案内溝の変形例を示す図
【図５】本発明の実施の形態における案内溝の他の変形例を示す図
【図６】従来のディスプレイ装置の構成を示す断面図
【図７】従来の大型ディスプレイを備えたディスプレイ装置の構成を示す断面図
【発明を実施するための形態】
【００３１】
以下、本発明の実施の形態におけるディスプレイ装置について図面を参照しながら説明する。以下では、本実施の形態のディスプレイ装置がインダッシュ型の車載ナビゲーション装置である場合の実施の形態を説明する。但し、本発明のディスプレイ装置は車載ナビゲーション装置以外にも応用可能である。
【００３２】
図１は、本発明の実施の形態におけるディスプレイ装置の構成を示す断面図であり、図２は、本発明の実施の形態におけるディスプレイ装置の斜面図である。なお、以下の説明において図１に記載のＸ方向を幅方向、Ｙ方向を奥行き方向、Ｚ方向を高さ方向として説明する。
【００３３】
まず、図２を参照して、ディスプレイ装置の概略構成を説明する。ディスプレイ装置１０は、ディスプレイ装置本体１１とディスプレイ１２とエスカッション１３とを備えている。ディスプレイ装置本体１１は、その筐体内に、図示しないＣＤデッキやラジオチューナ、あるいは、それらを電気的に制御するためのＩＣを実装したプリント基板などを収容している。
【００３４】
ディスプレイ装置１０は、インストルメントパネル内にネジ止めにより固定された後、開口部を有する枠部材（クラスターパネル）ＣＰが取付けられ、ディスプレイ１２がクラスターパネルＣＰの開口部から露出される。即ち、ディスプレイ装置本体１１は、自動車のセンターコンソール内部に組み込まれ、車両に取り付けられた際は、外観上ディスプレイ１２が使用者に対して露出され、車室内のクラスターパネルＣＰなど他のパネルと一体感を出すよう装着される。
【００３５】
エスカッション１３は、ディスプレイ装置本体１１の前面に取り付けられる。ディスプレイ装置本体１１のサイズは、２ＤＩＮの規格に従うものであり、その前面は、横１７８ｍｍ、縦１００ｍｍである。一方、ディスプレイ１２の外枠部分も含めた大きさは、横２２２ｍｍ、縦１２４ｍｍであり、ディスプレイ装置本体１１の前面よりも縦横ともに大きい。エスカッション１３及びディスプレイ１２の下端部は、ディスプレイ装置本体１１の下面よりも低い位置にある。
【００３６】
次に、図１を参照して、ディスプレイ１２の傾倒機構を説明する。エスカッション１３は、ディスプレイ装置本体１１の前面に固定されている。エスカッション１３は、上下左右に壁面を有するトレー形状を有しており、ディスプレイ装置本体１１に対して正立姿勢にあるディスプレイ１２を収容する。エスカッション１３の左右の壁面は、後述する案内溝及びスライダの構成によって、ディスプレイ１２を保持する。
【００３７】
ディスプレイ１２は、その側面の上端部に、スライダとしてのスライドピン１４を有する。エスカッション１３には、このスライドピン１４を上下方向に案内する案内溝１５が形成されている。案内溝１５は、ディスプレイ１２を傾倒させるように、ディスプレイ１２のスライドピン１４を案内する。また、ディスプレイ１２の側面には、下端部よりも中央寄りであって、かつスライドピン１４よりも下方の位置に、可動アーム１６の先端を軸支するためのピン１７が設けられている。可動アーム１６は、ディスプレイ装置本体１１の下面に近い位置でエスカッション１３を貫通して、その先端がピン１７によってディスプレイ１２に回動可能に軸支される。可動アーム１６は、ディスプレイ装置本体１１内に設けられた図示しないモータ及び駆動機構によって、手前及び奥行きの方向に出たり入ったりする。
【００３８】
ディスプレイ１２の上部のスライドピン１４が案内溝１５に案内されて、可動アーム１６の先端がピン１７に軸支されている状態で、可動アーム１６が前後方向にスライドすることで、ディスプレイ１２は、正立姿勢と最大傾倒姿勢との間で駆動される。
【００３９】
案内溝１５は、ディスプレイ１２が正立姿勢となったときのスライドピン１４の位置を上端として、そこから下方に直線状に延び、下端部において、前方かつ下方に向けて屈曲している。即ち、案内溝１５は、直線部１５１と、下端部に形成された屈曲部１５２とからなる。
【００４０】
メディアＭの出し入れの際には、操作ボタン１８が押される等の指示により、正立姿勢から可動アーム１６が手前方向に繰り出し、それに伴い、スライドピン１４が案内溝１５の直線部１５１を下方にスライドし、直線部１５１の下端に到達すると、ディスプレイ１２は、図１に示すｂの姿勢となる。その後、引き続き可動アーム１６が手前方向に繰り出すことで、スライドピン１４は、案内溝１５の屈曲部１５２をスライドして、前方かつ下方に移動し、その結果、ディスプレイ１２は、図１に示すｂ’の姿勢となる。このｂ’の姿勢が本実施の形態のディスプレイ１２の最大傾倒姿勢となる。
【００４１】
図３（ａ）は、本実施の形態のディスプレイ装置の作用を説明するための図であり、図３（ｂ）は従来のディスプレイ装置の作用を説明するための図である。図３（ａ）に示すように、本実施の形態では、ピン１７が可動アームに支持された点として固定されているとすると、ディスプレイ１２の下端部に設けられた操作ボタンが押下されることで、ディスプレイ１２の下端部に下向きの力が加わったときに、スライドピン１４には、Ａ方向の力が加わる。これに対して、スライドピン１４が案内溝１５の屈曲部１５２に沿って移動（スライド）可能な方向はＢ方向である。本実施の形態では、Ａ方向とＢ方向との間の角度は比較的大きく、約６０度である。従って、Ａ方向の力によってはスライドピン１４が案内溝１５の中を動くことはなく、ディスプレイ１２は最大傾倒姿勢で安定する。
【００４２】
一方、図３（ｂ）に示すように、案内溝１５が上端から下端まで一直線状であると、最大傾倒姿勢でディスプレイ１２の下端部に下方向の力が加わることによってスライドピン１４に働く力の方向Ａと、スライドピン１４が案内溝１５に沿って移動可能な方向Ｂとの間の角度が小さくなる。そうすると、Ａ方向の力によってスライドピン１４が案内溝１５に沿って動き、これが、がたつきの原因となる。
【００４３】
図１に戻って、メディアＭの出し入れが終わると、操作ボタン１８が押される等の指示により、最大傾倒姿勢ｂ’から可動アーム１６が奥に引き込まれ、それに伴って、スライドピン１４が、案内溝１５の屈曲部１５２に沿って奥行方向かつ上方にスライドし、続けて直線部１５１を上方にスライドし、これによってディスプレイ１２が正立して、メディアＭ用のスロットが隠される。
【００４４】
以上のように、本実施の形態のディスプレイ装置１０では、ディスプレイ１２の上端部に設けたスライドピン１４を案内する案内溝１５が下端部にて前方に向けて屈曲する形状を有しているので、スライドピン１４が案内溝１５の最下端まできた最大傾倒姿勢ｂ’において、ディスプレイ１２に、可動アーム１６を支持するピン１７回りに回る力が加わったとしても、それによってスライドピン１４が案内溝１５内を動くことがなく、がたつきが軽減される。
【００４５】
なお、上記では、ピン１７の位置が固定されていると仮定したが、実際には、可動アーム１６にもがたつきが生じたり、撓みが生じたりする。しかしながら、本実施の形態のディスプレイ装置１０では、案内溝１５の下端部が前に向いて屈曲しているので、最大傾倒姿勢において、そのような可動アーム１６のがたつきや撓みによるディスプレイ１２のがたつきが抑えられる。
【００４６】
以上、本発明の実施の形態を説明したが、最大傾倒姿勢においてディスプレイのがたつきを抑えるための案内溝１５の下端部の形状は、上記の実施の形態の形状に限られない。図４及び図５は、それぞれ、案内溝１５の変形例を示す図である。
【００４７】
図４の例では、案内溝１５の下端部が前方に向けて円弧状に湾曲した湾曲部１５３となっている。この例では、スライドピン１４の力の作用方向Ａと案内溝１５の最下端においてスライドピン１４が移動可能な方向Ｂとの間の角度は約１２０度であり、Ａ方向の力によってスライドピン１４が案内溝１５に沿って移動することはなくなる。
【００４８】
図５の例では、案内溝１５の下端部は、緩やかに湾曲してまっすぐ前方に向かう屈曲部１５４となっている。即ち、案内溝１５の直線部１５１と屈曲部１５４との角度が９０度となる。この場合には、スライドピン１４の力の作用方向Ａとスライドピン１４が移動可能な方向Ｂとの間の角度は約１００度となる。
【００４９】
なお、可動アーム１６を支持するピン１７の位置が不動であると仮定すると、理論上は、スライドピン１４の力の作用方向Ａと案内溝１５の最下端においてスライドピン１４が移動可能な方向Ｂとの間の角度が９０度以上であれば、Ａ方向の力によってスライドピン１４は案内溝１５に沿って移動することは物理的に不可能になる。よって、Ａ方向の力によるがたつきの抑制のためには、方向Ａと方向Ｂとの間の角度は、９０度以上であることが望ましい。
【００５０】
また、振動によるがたつきを考えると、スライドピン１４には、ピン１７を中心とした回転方向として、上記のＡ方向とともに、その逆方向にも力が作用することになる。このように、Ａ方向及びその逆方向に力が作用してもスライドピン１４が案内溝１５に沿って移動しないようにするためには、最下端での案内溝の方向は、Ａ方向（及びその逆方向）に対して９０度に近いことが望ましい。
【００５１】
上記の実施の形態は、スライドピン１４におけるピン１７を中心とした回転方向と最下端での案内溝の方向との間の角度は、９０度から３０度ずれた６０度であり、図４の例も９０度から３０度ずれた１２０度であり、図５の例は、９０度から１０度のみずれた１００度である。このように、スライドピン１４におけるピン１７を中心とした回転方向と最下端での案内溝の方向との間の角度は、９０度±３０度の範囲内にあることが望ましい。上記のＡ方向の力の作用のみを考慮した場合も勘案すると、スライドピン１４におけるピン１７を中心とした回転方向と最下端での案内溝の方向との間の角度は、９０度以上１２０度（＝９０度＋３０度）以下の範囲内にあることが望ましい。
【００５２】
なお、スライダは、上記のスライドピン１４ようにピン形状でなくても、案内溝１５をスライド可能な構成であればよい。
【産業上の利用可能性】
【００５３】
以上のように、本発明は、ディスプレイのスライダが案内溝の最下端にきた最大傾倒姿勢において、振動や操作ボタン押下によるディスプレイのがたつきを、特殊な部品を用いることなく抑制することができ、傾倒可能なディスプレイを備えたディスプレイ装置等として有用である。
【符号の説明】
【００５４】
１０  ディスプレイ装置
１１  ディスプレイ装置本体
１２  ディスプレイ
１３  エスカッション
１４  スライドピン
１５  案内溝
１５１  直線部
１５２  屈曲部
１５３  湾曲部
１５４  屈曲部
１６  可動アーム
１７  ピン
１８  操作ボタン
【図１】
2013007941.tif 000003
【図２】
2013007941.tif 000004
【図３】
2013007941.tif 000005
【図４】
2013007941.tif 000006
【図５】
2013007941.tif 000007
【図６】
2013007941.tif 000008
【図７】
2013007941.tif 000009